(57)【要約】【課題】正常房水排出量を確保しつつ眼圧を正常範囲に調整する機能を有し、薄く、柔軟で、小型であるようにする。【解決手段】薄膜状の本体１１と、該本体１１内に形成された上流側流路１２ａ及び下流側流路１２ｂと、前記上流側流路１２ａと下流側流路１２ｂとの間に配設された眼圧調整機構１４とを備え、該眼圧調整機構１４は、前記上流側流路１２ａと下流側流路１２ｂとの間の圧力差が正常眼圧範囲にあっても、正常房水排出量の房水が流れる漏出流路を含む。【選択図】図１
2018149049.tif 000002
【特許請求の範囲】
【請求項１】
薄膜状の本体と、
該本体内に形成された上流側流路及び下流側流路と、
前記上流側流路と下流側流路との間に配設された眼圧調整機構とを備え、
該眼圧調整機構は、前記上流側流路と下流側流路との間の圧力差が正常眼圧範囲にあっても、正常房水排出量の房水が流れる漏出流路を含むことを特徴とする房水排出装置。
【請求項２】
前記眼圧調整機構は、前記漏出流路の周囲に形成された面状開閉部を含み、該面状開閉部は、前記上流側流路と下流側流路との間の圧力差が所定の閾値を超えると開いて、前記上流側流路と下流側流路との間を連通する請求項１に記載の房水排出装置。
【請求項３】
前記本体は、互いに接合された上部シート及び下部シートを含む請求項１又は２に記載の房水排出装置。
【請求項４】
前記上部シート及び下部シートは、ＰＤＭＳ等のシリコーン素材又はその他の柔軟素材から成る請求項３に記載の房水排出装置。
【請求項５】
前記上流側流路、下流側流路及び漏出流路は、前記上部シート又は下部シートの一方の接合面に形成された溝と、他方の接合面との間に形成された流路である請求項３又は４に記載の房水排出装置。
【請求項６】
前記下流側流路は複数である請求項１〜５のいずれか１項に記載の房水排出装置。
【請求項７】
前記本体の厚さは０．１〜１〔ｍｍ〕であり、前記上流側流路及び下流側流路の幅及び高さは０．０５〜２〔ｍｍ〕及び０．０１〜０．５〔ｍｍ〕である請求項１〜６のいずれか１項に記載の房水排出装置。
【請求項８】
前記上流側流路は本体の前端部に開口し、前記下流側流路は本体の後端部に開口し、前記前端部は眼球の前房内に挿入され、該前房内の房水は眼球外の前記後端部から排出される請求項１〜７のいずれか１項に記載の房水排出装置。
【請求項９】
前記漏出流路の幅及び高さは、ともに、０．００２〜０．０５〔ｍｍ〕であり、前記漏出流路の長さは０．１〜２〔ｍｍ〕である請求項１〜８のいずれか１項に記載の房水排出装置。
【請求項１０】
前記漏出流路は複数である請求項１〜９のいずれか１項に記載の房水排出装置。
【請求項１１】
前記眼圧調整機構は、前記上流側流路と下流側流路とを分離する上側弁部材及び下側弁部材を含み、
前記面状開閉部は、前記上側弁部材の下面と下側弁部材の上面とが離間可能に接合する部分である請求項２に記載の房水排出装置。
【請求項１２】
前記所定の閾値は、前記漏出流路の幅、長さ及び数を調整することによって調整可能である請求項２に記載の房水排出装置。
【請求項１３】
前記所定の閾値は、前記上側弁部材又は下側弁部材の厚さを調整することによって調整可能である請求項１１に記載の房水排出装置。
【請求項１４】
前記所定の閾値は、前記面状開閉部にフッ素系化合物又は高分子を塗布することによって調整可能である請求項１１に記載の房水排出装置。
【発明の詳細な説明】
【技術分野】
【０００１】
本開示は、房水排出装置に関するものである。
【背景技術】
【０００２】
眼の病気の一種である緑内障は、眼圧が正常範囲（１．０７〜２．８０〔ｋＰａ〕又は８〜２１〔ｍｍＨｇ〕）を超えて上昇することよって、網膜神経節細胞が圧迫され、損傷し、徐々に視野が狭まり、最終的には失明に至る疾患のことで、わが国で最も多い中途失明原因である。その進行は非可逆的で、一度失われた視力は回復せず、根治させることができない疾患である。そこで、緑内障治療においては、進行を食い止めることが肝要で、眼圧を速やかに下降させる必要がある。緑内障では、眼内を循環する房水の流出経路にあたる線維柱帯やシュレム管に異常が起きて流出抵抗が増加すると流れが滞り、眼圧が上昇するが、これを治療するため、房水産生を抑制する薬剤の投与、排出を促進するレーザ治療、線維柱帯切除術等の外科手術が実施される。
【０００３】
薬剤治療やレーザ治療でも眼圧が下降しない難治例では、房水排出装置を結膜下、強膜上に埋め込んで人工的な房水排出経路を設けて強制的に圧力を下げるインプラント手術が適応となる。日本でも２種類の房水排出装置が認可され、２０１２年からは保険適用にもなったため、今後更に利用が増えると予想される。現在、臨床応用可能な代表的な房水排出装置として、モルテノ型（例えば、特許文献１参照。）、バルベルト型（例えば、特許文献２参照。）、アーメド型（例えば、特許文献３及び４参照。）が存在し、いずれの装置も、眼球内に挿入し外部へ房水を導く１本の排出管部と、眼球に固定するプレート部とで構成されている。
【０００４】
排出管部とプレート部とで構成される従来の房水排出装置では、角膜を切開し、眼球の前房部に排出管部の一端を挿入し、排出管部の他端とそれに接続されたプレート部を強膜上に固定する。排出管部が房水の流れる流路となり、前房部内に貯まった房水が排出管部を通って眼球外のプレート部周囲に流れ出ることによって、上昇した眼球内の圧力を眼球外に逃がすことができ、眼圧上昇を抑制する仕組みになっている。
【０００５】
臨床応用が可能な従来の緑内障治療用の房水排出装置の抱える第一の課題が、排出管部及びプレート部のサイズが大きく、厚く、硬いことである。その結果、結膜上への装置の露出が起き、術後の見た目を著しく悪くする。また、硬い排出管部が結膜を破って突き出る場合もあり、傷口から感染症にかかるリスクも高まる。
【０００６】
前記第一の課題を解決するために、柔軟なシリコーンゴムを材料とし、房水排出のための微小な流路構造を内蔵させた柔軟平板型の房水排出装置が提案されている。ＭＥＭＳ（Ｍｉｃｒｏ  Ｅｌｅｃｔｒｏ  Ｍｅｃｈａｎｉｃａｌ  Ｓｙｓｔｅｍｓ）技術、フォトリソグラフィー技術及びソフトモールディング技術を応用して作製することによって、臨床応用可能な従来の房水排出装置に比べて、本体がより薄く、かつ柔軟な房水排出装置を実現している。
【０００７】
前記第一の課題を解決するために、プレート部を排除し、眼球の前房部に挿入する排出管部のみで房水排出装置を構成する技術が提案されている（例えば、非特許文献１参照。）。このような構成によって小型化を図り、また、排出管部を柔軟材料で作製することで柔軟化を図っている。
【０００８】
臨床応用が可能な従来の緑内障治療用の房水排出装置の抱える第二の課題が、房水排出機能を喪失するリスクである。１本の経路で排出を行う限り、装置周囲の線維瘢痕化や細胞の付着や凝固によって流路が詰まって排水不能になるリスクが高い。
【０００９】
前記第二の課題を解決するために、複数の微小排出路を内蔵させた房水排出装置も提案されている（例えば、特許文献５参照。）。ＭＥＭＳ技術、フォトリソグラフィー技術及びソフトモールディング技術を応用することで、柔軟な平板形状の本体に、房水排出のための複数の微小流路を集積化させている。排出経路を多重化することによって、臨床応用可能な従来の房水排出装置よりも、房水排出機能喪失のリスクを低減している。
【００１０】
臨床応用が可能な従来の緑内障治療用の房水排出装置の抱える第三の課題が、眼圧調整機能である。モルテノ型房水排出装置やバルベルト型房水排出装置には、房水排出装置本体に圧力調整機構は内蔵されていない。正常眼圧範囲に対してわずかな上昇（数〔ｍｍＨｇ〕）で視神経が損傷することが知られており、緑内障治療のための房水排出装置には精密な調整を可能にする機構が要求されている。
【００１１】
前記第三の課題を解決するために、アーメド型房水排出装置では、簡易的な膜バルブ機構を内蔵させ、圧力調整機能を実現している。眼球外に配置された排出管部の出口端が膜で挟まれて閉じられており、眼圧が一定圧力値以下の場合には、膜が剥がれないため、排出管部を通って房水が流れ出ることはない。眼圧が一定閾値より上昇した場合には、膜が圧力に耐えられずに剥がれて、房水が排水管部を通って流出する。このような膜バルブ機構によって、眼圧を一定圧力値以下に調整している。
【００１２】
前記第三の課題を解決するために、微小な流路構造の上に被せた柔軟な膜の一部が流路内の圧力上昇によって剥がれる機構を備える圧力調整機能が提案されている（例えば、非特許文献２参照。）。柔軟なシリコーンゴム同士を接合するときに、接合面を局所的に金属で被膜することで、接合されない領域を設けている。流路内の圧力が一定圧力値以下の場合、金属被膜された部分は素材の粘着性によって接合状態が維持され、流路を通って液体が流出することはない。流路内圧力が一定閾値より上昇した場合、接着膜が圧力に耐えられずに剥がれて、液体が流路を通って流出する。このような膜バルブ機構によって、圧力を一定圧力値以下に調整している。
【００１３】
前記第三の課題を解決するために、眼球の前房部に挿入する排出管部にバルブ機能を配置した房水排出装置も提案されている（例えば、非特許文献１参照。）。柔軟材料で構成される排出管部の壁面の一部に微細加工技術を利用して切れ目を入れ、排出管部周囲の圧力、すなわち、眼圧が上昇すると、切れ目を入れた排出管部の壁面の一部が撓む構造になっている。眼圧が上昇して一定圧力値以上に到達すると、排出管部の周囲の房水が、撓んだ排出管部の壁面を通って排出管部内に流れ込み、眼球外へ排水され、眼圧の上昇を抑制する。
【先行技術文献】
【特許文献】
【００１４】
【特許文献１】米国特許第４４５７７５７号明細書
【特許文献２】特表平１０−５０３４０５号公報
【特許文献３】特表２００１−５０５０８９号公報
【特許文献４】米国特許第６００７５１０号明細書
【特許文献５】特表２００７−５２６０１３号公報
【非特許文献１】Siewert S., Schultze C., Schmidt W., Hinze U., Chichkov B., Wree A., Sternberg K., Allemann R., Guthoff R., and Schmitz K. P.,“Development of a micro-mechanical valve in a novel glaucoma implant ”, Biomedical Microdevices, 14 (2012), 907-920.
【非特許文献２】Moon S., Im S., An J., Park C. J., Kim H. G., Park S. W., Kim H. I., and Lee J. H., “Selectively bonded polymeric glaucoma drainage device for reliable regulation of intraocular pressure ”, Biomedical Microdevices, 14 (2012), 325-335.
【発明の概要】
【発明が解決しようとする課題】
【００１５】
しかしながら、前記従来の技術では、眼圧調整機能を有するバルブ構造を有しているものの、眼圧が一定閾値を超えるとバルブが開放されて房水が排出され、眼圧が正常眼圧範囲内まで低下する、という調整方法が採用されている。しかし、正常眼圧範囲にある眼球でも、常に房水の産生と排出が行われており、房水の排出量は２〔μＬ／ｍｉｎ〕程度であり、房水の産生量と排出量が均衡した結果として、眼圧が一定に維持される。したがって、このような眼圧調整機能では、正常眼圧状態において房水の排出が担保されず、眼圧の上昇と下降とを繰り返す調整機能となっている。
【００１６】
ここでは、前記従来の技術の問題点を解決して、正常房水排出量を確保しつつ眼圧を正常範囲に調整する機能を有し、薄く、柔軟で、小型の房水排出装置を提供することを目的とする。
【課題を解決するための手段】
【００１７】
そのために、房水排出装置においては、薄膜状の本体と、該本体内に形成された上流側流路及び下流側流路と、前記上流側流路と下流側流路との間に配設された眼圧調整機構とを備え、該眼圧調整機構は、前記上流側流路と下流側流路との間の圧力差が正常眼圧範囲にあっても、正常房水排出量の房水が流れる漏出流路を含む。
【００１８】
他の房水排出装置においては、さらに、前記眼圧調整機構は、前記漏出流路の周囲に形成された面状開閉部を含み、該面状開閉部は、前記上流側流路と下流側流路との間の圧力差が所定の閾値を超えると開いて、前記上流側流路と下流側流路との間を連通する。
【００１９】
更に他の房水排出装置においては、さらに、前記本体は、互いに接合された上部シート及び下部シートを含む。
【００２０】
更に他の房水排出装置においては、さらに、前記上部シート及び下部シートは、ＰＤＭＳ等のシリコーン素材又はその他の柔軟素材から成る。
【００２１】
更に他の房水排出装置においては、さらに、前記上流側流路、下流側流路及び漏出流路は、前記上部シート又は下部シートの一方の接合面に形成された溝と、他方の接合面との間に形成された流路である。
【００２２】
更に他の房水排出装置においては、さらに、前記下流側流路は複数である。
【００２３】
更に他の房水排出装置においては、さらに、前記本体の厚さは０．１〜１〔ｍｍ〕であり、前記上流側流路及び下流側流路の幅及び高さは０．０５〜２〔ｍｍ〕及び０．０１〜０．５〔ｍｍ〕である。
【００２４】
更に他の房水排出装置においては、さらに、前記上流側流路は本体の前端部に開口し、前記下流側流路は本体の後端部に開口し、前記前端部は眼球の前房内に挿入され、該前房内の房水は眼球外の前記後端部から排出される。
【００２５】
更に他の房水排出装置においては、さらに、前記漏出流路の幅及び高さは、ともに、０．００２〜０．０５〔ｍｍ〕であり、前記漏出流路の長さは０．１〜２〔ｍｍ〕である。
【００２６】
更に他の房水排出装置においては、さらに、前記漏出流路は複数である。
【００２７】
更に他の房水排出装置においては、さらに、前記眼圧調整機構は、前記上流側流路と下流側流路とを分離する上側弁部材及び下側弁部材を含み、前記面状開閉部は、前記上側弁部材の下面と下側弁部材の上面とが離間可能に接合する部分である。
【００２８】
更に他の房水排出装置においては、さらに、前記所定の閾値は、前記漏出流路の幅、長さ及び数を調整することによって調整可能である。
【００２９】
更に他の房水排出装置においては、さらに、前記所定の閾値は、前記上側弁部材又は下側弁部材の厚さを調整することによって調整可能である。
【００３０】
更に他の房水排出装置においては、さらに、前記所定の閾値は、前記面状開閉部にフッ素系化合物又は高分子を塗布することによって調整可能である。
【発明の効果】
【００３１】
本開示によれば、正常房水排出量を確保することができ、薄く、柔軟で、小型の房水排出装置を提供することができる。
【図面の簡単な説明】
【００３２】
【図１】本実施の形態における房水排出装置の斜視図である。
【図２】本実施の形態における房水排出装置の使用状態を示す図である。
【図３】本実施の形態における房水排出装置の透視図である。
【図４】本実施の形態における眼圧調整機構周辺の拡大図である。
【図５】本実施の形態における眼圧が正常なときの眼圧調整機構周辺の拡大断面図である。
【図６】本実施の形態における眼圧が上昇したときの眼圧調整機構周辺の拡大断面図である。
【図７】本実施の形態における房水排出装置の裏側から観た斜視図である。
【図８】本実施の形態における房水排出装置の変形例の眼圧調整機構の平面図である。
【図９】本実施の形態における房水排出装置の写真である。
【図１０】本実施の形態における房水排出装置の実例を眼球に固定した状態を示す図である。
【図１１】本実施の形態における房水排出装置の評価試験系を示す図である。
【図１２】本実施の形態における房水排出装置の実例を眼圧が正常範囲にある眼球に固定した状態を示す写真である。
【図１３】本実施の形態における房水排出装置の実例を眼圧が一定閾値を超えた眼球に固定した状態を示す写真である。
【図１４】本実施の形態における房水排出装置の第１実験例の透視図である。
【図１５】本実施の形態における房水排出装置の第２実験例の眼圧調整機構周辺の拡大図である。
【図１６】本実施の形態における房水排出装置の第３実験例の眼圧調整機構周辺の拡大図である。
【図１７】本実施の形態における漏出流路が眼圧調整機能に与える影響の評価試験系を示す図である。
【図１８】本実施の形態における房水排出装置の第４〜第７実験例の透視図である。
【図１９】本実施の形態における房水排出装置の第４〜第７実験例の眼圧調整機構周辺の拡大図である。
【発明を実施するための形態】
【００３３】
以下、本実施の形態について図面を参照しながら詳細に説明する。
【００３４】
図１は本実施の形態における房水排出装置の斜視図、図２は本実施の形態における房水排出装置の使用状態を示す図である。
【００３５】
図において、１０は本実施の形態における房水排出装置である。該房水排出装置１０は、好適には、図２に示されるように、ヒトを含む動物の眼球３１に埋め込むことによって取り付けられ、前記眼球３１内を循環して流れている房水を眼球３１から適切に排出するために使用される。
【００３６】
なお、本実施の形態において、房水排出装置１０の各部の構成及び動作を説明するために使用される上、下、左、右、前、後等の方向を示す表現は、絶対的なものでなく相対的なものであり、前記房水排出装置１０の各部が図に示される姿勢である場合に適切であるが、その姿勢が変化した場合には姿勢の変化に応じて変更して解釈されるべきものである。
【００３７】
前記房水排出装置１０は、シリコーン樹脂等の柔軟性を有する素材から成る薄膜状の本体１１と、該本体１１内に形成された流路１２と、該流路１２の途中に配設された眼圧調整機構１４とを備える。前記流路１２において、本体１１の前端部１１ａに開口する前端開口部１５ａから眼圧調整機構１４までの部分を上流側流路１２ａと称し、眼圧調整機構１４から本体１１の後端部１１ｂに開口する後端開口部１５ｂまでの部分を下流側流路１２ｂと称する。なお、前記流路１２は、必ずしも１本に限定されるものでなく、複数本であってもよいし、また、１本の流路１２が途中で複数本に分岐したものであってもよい。例えば、図に示される例においては、流路１２が眼圧調整機構１４で分岐しており、上流側流路１２ａが１本であるのに対して下流側流路１２ｂが３本になっている。なお、流路１２は、必ずしも、眼圧調整機構１４で分岐する必要はなく、上流側流路１２ａ又は下流側流路１２ｂの途中で分岐してもよい。また、分岐後の本数も、３本である必要はなく、２本であっても、４本以上であってもよい。
【００３８】
前記本体１１の前端部１１ａ及びその近傍は、好適には、図２に示されるように、眼球３１の結膜を切開して剥離することによって強角膜輪部に開けられた挿入孔３３を通して、眼球３１の前房３２の内部に挿入される。そして、前記本体１１は、眼球３１の表面に沿って這うように湾曲させた状態で、強膜上に固定される。前房３２の内部の房水は、前端開口部１５ａから流路１２内に流入し、矢印１９で示されるように、眼圧調整機構１４を通過して流路１２内を流れた後、眼球３１の後側に位置する後端開口部１５ｂから排出される。排出された房水は、後端開口部１５ｂの周囲の体内組織に吸収される。
【００３９】
次に、前記流路１２及び眼圧調整機構１４の構成について詳細に説明する。ここでは、説明の都合上、本体１１は細長い真っ直ぐな帯状であって、流路１２は、分岐することなく、１本のみである基本的な構成の房水排出装置１０について説明する。
【００４０】
図３は本実施の形態における房水排出装置の透視図、図４は本実施の形態における眼圧調整機構周辺の拡大図、図５は本実施の形態における眼圧が正常なときの眼圧調整機構周辺の拡大断面図、図６は本実施の形態における眼圧が上昇したときの眼圧調整機構周辺の拡大断面図、図７は本実施の形態における房水排出装置の裏側から観た斜視図である。
【００４１】
図３に示されるように、薄膜状の本体１１は、流路１２に対応する細長い溝が接合面である下面に形成された上部シート２１と、接合面である上面が平坦な下部シート２２とを重ね合わせた構造を有する。前記上部シート２１の下面と下部シート２２の上面とを接合することによって、流路１２及び該流路１２の途中に形成された眼圧調整機構１４を備える房水排出装置１０の本体１１が形成される。なお、該本体１１の厚さは、例えば、０．１〜１．０〔ｍｍ〕であり、前記上部シート２１及び下部シート２２の厚さは、例えば、０．０５〜０．９５〔ｍｍ〕であり、流路１２の幅及び高さ（厚さ）は、例えば、０．０５〜２〔ｍｍ〕及び０．０１〜０．５〔ｍｍ〕であるが、これらの数値は、適宜変更することができる。
【００４２】
図４〜６に示されるように、眼圧調整機構１４は、上側弁部材１４ａ、下側弁部材１４ｂ、面状開閉部１４ｃ及び漏出流路１６を含んでいる。
【００４３】
前記上側弁部材１４ａは、流路１２の途中を塞き止めるように上部シート２１に形成された部分であって、流路１２の上面から下方に向かって突出する肉厚の凸部であり、その下面は流路１２の下面を構成する下部シート２２の上面に当接する。前記流路１２は、上側弁部材１４ａによって、上流側流路１２ａと下流側流路１２ｂとに分離される。そして、前記下側弁部材１４ｂは、下部シート２２における上側弁部材１４ａと対向する部分であって、前記上側弁部材１４ａの下面が当接する部分である。
【００４４】
また、前記面状開閉部１４ｃは、上側弁部材１４ａの下面と下側弁部材１４ｂの上面とが離間可能に接合する部分であって、上側弁部材１４ａの下面は下側弁部材１４ｂである下部シート２２の上面に離間可能に接合している。そのため、前記面状開閉部１４ｃは、一種の圧力制御弁として機能し、正常な場合、すなわち、上流側流路１２ａ内の圧力と下流側流路１２ｂ内の圧力との差が小さい場合には、図５に示されるように、閉じており、上流側流路１２ａ内の圧力が上昇して下流側流路１２ｂ内の圧力との差が大きくなると、図６に示されるように、開くようになっている。
【００４５】
さらに、前記漏出流路１６は、前記上側弁部材１４ａの下面に形成された微細な溝であり、前記面状開閉部１４ｃが閉じている場合であっても、上流側流路１２ａと下流側流路１２ｂとを連通する通路である。なお、前記漏出流路１６は、面状開閉部１４ｃを通過して上流側流路１２ａと下流側流路１２ｂとを結ぶ微細流路であるとも言える。また、上流側流路１２ａと下流側流路１２ｂとの間に配設された漏出流路１６の周囲が面状開閉部１４ｃになっているとも言える。
【００４６】
なお、図に示される例において、面状開閉部１４ｃにおける上流側の幅は、上流側流路１２ａの幅と等しく、下流側の幅は、下流側流路１２ｂの幅と等しくなっているが、適宜変更することができる。前記面状開閉部１４ｃの長さは、例えば、０．１〜２〔ｍｍ〕であるが、適宜変更することができる。また、前記漏出流路１６は、幅及び高さ（厚さ）は、例えば、０．００２〜０．０５〔ｍｍ〕であるが、適宜変更することができる。なお、前記漏出流路１６の長さは、面状開閉部１４ｃの長さと同様である。また、前記漏出流路１６は、必ずしも１本に限定されるものではなく、複数本であってもよい。
【００４７】
眼球３１の内部圧力、すなわち、眼圧が正常範囲に収まっている場合には、上流側流路１２ａ内に流入した房水の圧力が高くなく、上流側流路１２ａ内の圧力と下流側流路１２ｂ内の圧力との差が小さいので、図４及び５に示されるように、面状開閉部１４ｃは閉じている。このような場合であっても、眼圧が正常な眼球３１から排出される程度の房水の量、すなわち、正常房水排出量の房水は、漏出流路１６を通過して、上流側流路１２ａから下流側流路１２ｂに流入し、最終的には後端開口部１５ｂから排出される。したがって、正常房水排出量、例えば、約２〔μＬ／ｍｉｎ〕の房水が、眼球３１の前房３２から眼球３１外へ流出するので、眼圧は一定圧力範囲に調整される。
【００４８】
一方、眼圧が正常範囲を超えて上昇した場合、上流側流路１２ａ内に流入した房水の圧力が高くなり、上流側流路１２ａ内の圧力と下流側流路１２ｂ内の圧力との差が大きくなるので、図６に示されるように、面状開閉部１４ｃにおいて上側弁部材１４ａの下面と下側弁部材１４ｂの上面とが離間し、下部シート２２の一部である下側弁部材１４ｂが下方に撓み、面状開閉部１４ｃが開いた状態になる。そのため、上流側流路１２ａと下流側流路１２ｂとの間で房水が流れる経路が拡張されて流路抵抗が低下するので、房水の流量が増大し、上流側流路１２ａ内の圧力が低下して眼圧が下降する。
【００４９】
そして、眼圧が正常範囲に戻ると、上流側流路１２ａ内の圧力が低下して上流側流路１２ａ内の圧力と下流側流路１２ｂ内の圧力との差が小さくなるので、撓んでいた下側弁部材１４ｂが復帰して上側弁部材１４ａの下面と下側弁部材１４ｂの上面とが再び接合し、面状開閉部１４ｃが閉じる。
【００５０】
このように、面状開閉部１４ｃは、眼圧が高くなり、上流側流路１２ａ内に流入した房水の圧力が高くなると開いて、房水を下流側流路１２ｂ内に多量に流入させて後端開口部１５ｂから排出させることによって、眼圧を低下させる圧力制御弁として機能する。
【００５１】
なお、ここでは、上部シート２１に、流路１２に対応する細長い溝、上側弁部材１４ａに対応する肉厚の凸部、及び、漏出流路１６に対応する微細な溝を形成した例について説明したが、これらを下部シート２２に形成することもできる。
【００５２】
図７に示されるように、下部シート２２側から房水排出装置１０を観ると分かるように、下部シート２２の下面における下側弁部材１４ｂに対応する部分に膜変位空間としての凹入部２４が形成されている。なお、該凹入部２４は、面状開閉部１４ｃよりも広い面積となるように形成されることが望ましい。これにより、下側弁部材１４ｂは、下部シート２２の他の部分よりも肉薄となるので、柔軟性が高く、撓みやすくなる。したがって、上流側流路１２ａ内に流入した房水の圧力があまり高くなく、上流側流路１２ａ内の圧力と下流側流路１２ｂ内の圧力との差があまり大きくなくても、面状開閉部１４ｃが開いた状態になる。
【００５３】
このように、凹入部２４を形成して下側弁部材１４ｂの柔軟性を調整することによって、眼圧調整機構１４の面状開閉部１４ｃが開放するのに必要な上流側流路１２ａ内の圧力と下流側流路１２ｂ内の圧力との差を調整することができる。すなわち、面状開閉部１４ｃを開放させて眼圧を低下させるための眼圧の閾値を調整することができる。また、前記凹入部２４が下部シート２２の下面を凹ませることによって形成されているので、図２に示されるように、房水排出装置１０の本体１１を眼球３１の表面に沿って這うように強膜上に固定し、下部シート２２の下面が強膜に当接した状態であっても、下側弁部材１４ｂが撓んで面状開閉部１４ｃを開放することができる。
【００５４】
なお、上側弁部材１４ａの下面又は下側弁部材１４ｂの上面に、例えば、トリフルオロメタン（ＨＦＣ−２３）等のフッ素系化合物やＭＰＣポリマー等の高分子を塗布することによって、上側弁部材１４ａの下面と下側弁部材１４ｂの上面との接合力を調整し、面状開閉部１４ｃを開放させて眼圧を低下させるための眼圧の閾値を調整することもできる。
【００５５】
次に、眼圧調整機構１４を変形した房水排出装置１０の変形例について説明する。
【００５６】
図８は本実施の形態における房水排出装置の変形例の眼圧調整機構の平面図である。
【００５７】
房水排出装置１０の変形例においては、図８に示されるように、流路１２が眼圧調整機構１４で分岐しており、上流側流路１２ａが１本であるのに対して下流側流路１２ｂが３本になっている場合、面状開閉部１４ｃを通過して上流側流路１２ａと下流側流路１２ｂとを結ぶ微細流路である漏出流路１６も、途中で３本に分岐している。なお、漏出流路１６の分岐後の本数は、必ずしも、３本に限定されるものでなく、下流側流路１２ｂの本数に合わせて変更される。
【００５８】
眼圧が正常範囲に収まって面状開閉部１４ｃが閉じている場合、正常房水排出量の房水は、途中で分岐する漏出流路１６を通過して、上流側流路１２ａから３本の下流側流路１２ｂに流入し、３つの後端開口部１５ｂから排出される。一方、眼圧が正常範囲を超えて上昇した場合、上流側流路１２ａ内の圧力と３本の下流側流路１２ｂ内の圧力との差が大きくなるので、面状開閉部１４ｃが開いた状態となり、上流側流路１２ａと３本の下流側流路１２ｂとの間で房水が流れる経路が拡張され、多量の房水が上流側流路１２ａから３本の下流側流路１２ｂに流入するので、上流側流路１２ａ内の圧力が速やかに低下して眼圧が速やかに下降する。
【００５９】
次に、発明者が実際に作製した房水排出装置１０の実例について説明する。
【００６０】
図９は本実施の形態における房水排出装置の写真である。
【００６１】
発明者は、フォトリソグラフィー技術、ソフトモールディング技術及び接合技術を用いて、実際に房水排出装置１０の実例を作製した。なお、該房水排出装置１０は、図３に示されるものと同様に、流路１２が分岐することなく、１本のみである基本的な構成のものである。
【００６２】
まず、上部シート２１の作製を行った。フォトリソグラフィー法によって、フォトレジストＫＭＰＲ  １０３５（日本化薬株式会社）を用いて、２．５インチ×２．５インチサイズのガラス基板上に上流側流路１２ａ、下流側流路１２ｂ及び漏出流路１６の反転型となる流路反転型凸構造を成形し、ガラス基板及び該ガラス基板上に成形した流路反転型凸構造の表面に、離型処理（トリフルオロメタン塗布）を施した。
【００６３】
ＰＤＭＳ（ポリジメチルシロキサン）の一種であるインプラント用シリコーンＭＥＤ−６０１５（ＮｕＳｉｌ  Ｔｅｃｈｎｏｌｏｇｙ  ＬＬＣ）のＡ液とＢ液とをそれぞれ１０グラムずつ計量し、計量したＡ液とＢ液とを混合器で混合し、真空デシケータを用いて脱泡処理を行った。流路反転型凸構造が成形されたガラス基板を専用金型に取り付け、専用金型の注ぎ口より、脱泡されたＭＥＤ−６０１５混合液を注入し、７５〔℃〕環境下で９０分間加熱し、硬化させた。
【００６４】
インプラント用シリコーンＭＥＤ−６０１５が硬化した後、専用金型を分解し、流路反転型凸構造が成形されたガラス基板から硬化したインプラント用シリコーンＭＥＤ−６０１５のシートを剥がし、上流側流路１２ａ、下流側流路１２ｂ及び漏出流路１６となる溝構造が加工された上部シート２１を得た。
【００６５】
次に、下部シート２２の作製を行った。上部シート２１を作製したときと同様に、インプラント用シリコーンＭＥＤ−６０１５のＡ液とＢ液とをそれぞれ１０グラムずつ計量し、計量したＡ液とＢ液とを混合器で混合し、真空デシケータを用いて脱泡処理を行った。膜変位空間としての凹入部２４となる凸構造を有する専用金型を組み立てて、専用金型の注ぎ口より、脱泡されたＭＥＤ−６０１５混合液を注入し、７５〔℃〕環境下で９０分間加熱し、硬化させた。
【００６６】
インプラント用シリコーンＭＥＤ−６０１５が硬化した後、専用金型を分解し、専用金型から硬化したインプラント用シリコーンＭＥＤ−６０１５のシートを剥がし、片側に凹入部２４を有する平らな下部シート２２を得た。
【００６７】
最後に、上部シート２１と下部シート２２との接合、及び、外形状の成形を行った。上部シート２１の、上流側流路１２ａ、下流側流路１２ｂ及び漏出流路１６となる溝構造が加工された面に対して、面状開閉部１４ｃに対応する領域のみが曝露するように、厚み０．１〔ｍｍ〕の市販のシリコーンシートで被膜を行った上で、ＲＩＥ（リアクティブイオンエッチング）装置ＲＩＥ−１０ＮＲ（サムコ株式会社）を用いて、トリフルオロメタンプラズマ処理を３０秒間実施し、上部シート２１の面状開閉部１４ｃに対応する面のみにトリフルオロメタンを塗布した。トリフルオロメタン塗布後、被膜に用いたシリコーンシートを上部シート２１から取り除いた。
【００６８】
上部シート２１の、上流側流路１２ａ、下流側流路１２ｂ及び漏出流路１６となる溝構造が加工された面に対して、ＲＩＥ装置ＲＩＥ−１０ＮＲを用いて、酸素プラズマ処理を施した。同様に、下部シート２２の凹入部２４の凹みがある面の反対側の面に対しても、ＲＩＥ装置ＲＩＥ−１０ＮＲを用いて、酸素プラズマ処理を施した。上部シート２１の酸素プラズマ処理を施した面と、下部シート２２の酸素プラズマ処理を施した面とを貼り合わせ、７５〔℃〕環境下で加熱し、上部シート２１と下部シート２２とを接合し、本体１１が幅２．５〔ｍｍ〕、長さ４０〔ｍｍ〕、厚さ０．４〔ｍｍ〕となるように、接合された上部シート２１及び下部シート２２の外周の不要な部分をナイフで切り落とし、図９に示されるような房水排出装置１０を得た。
【００６９】
酸素プラズマ処理が施されたインプラント用シリコーンＭＥＤ−６０１５の表面は、互いに強固に接合し、永久に剥がれることがない。ただし、トリフルオロメタンプラズマ処理を施した面状開閉部１４ｃに対応する領域は、接合してはいるが、外力によって剥がれる構造となっている。
【００７０】
図９に示されるように、作製された房水排出装置１０は、すべて柔軟なインプラント用シリコーンＭＥＤ−６０１５から成り、幅２．５〔ｍｍ〕、長さ４０〔ｍｍ〕、厚さ０．４〔ｍｍ〕となっている。上部シート２１及び下部シート２２の厚さは、それぞれ、０．２〔ｍｍ〕である。眼圧調整機構１４の面状開閉部１４ｃは、本体１１の幅方向中央に配置され、下部シート２２の面状開閉部１４ｃに対応する位置には、凹入部２４として、直径２〔ｍｍ〕、深さ０．１〔ｍｍ〕の凹みが形成されている。上流側流路１２ａ及び下流側流路１２ｂは、幅１〔ｍｍ〕、高さ０．１〔ｍｍ〕となっており、漏出流路１６は幅０．０２〔ｍｍ〕、高さ０．０２〔ｍｍ〕となっており、漏出流路１６の本数は１本となっている。面状開閉部１４ｃは幅１〔ｍｍ〕、長さ１〔ｍｍ〕である。
【００７１】
作製された房水排出装置１０では、流路幅及び流路高さの小さい漏出流路１６における流路抵抗が支配的であるため、眼圧に対する房水排出量は、漏出流路１６における流路抵抗によって決定される。眼圧が正常範囲（１．０７〜２．８０〔ｋＰａ〕又は８〜２１〔ｍｍＨｇ〕）にあるとき、漏出流路１６の流路抵抗を基にして房水排出量を流体力学的に見積もると、房水排出量は０．４〔μＬ／ｍｉｎ〕から１．１〔μＬ／ｍｉｎ〕の範囲となり、眼圧の正常範囲に対応する正常房水排出量として妥当な値になる。
【００７２】
次に、前記房水排出装置１０の実例の評価試験について説明する。
【００７３】
図１０は本実施の形態における房水排出装置の実例を眼球に固定した状態を示す図、図１１は本実施の形態における房水排出装置の評価試験系を示す図、図１２は本実施の形態における房水排出装置の実例を眼圧が正常範囲にある眼球に固定した状態を示す写真、図１３は本実施の形態における房水排出装置の実例を眼圧が一定閾値を超えた眼球に固定した状態を示す写真である。
【００７４】
発明者は、前記房水排出装置１０の実例を、豚検体から抽出された眼球である眼球試料３５に埋め込み、眼圧上昇時の房水排出機能及び眼圧調整機能の評価試験を実施した。図１０に示されるように、豚眼試料（東京芝浦臓器株式会社）としての眼球試料３５を試料台３７の上に載せ、４本の固定用ピン３７ａで試料台３７に固定した。三面切開法を用いて、眼球試料３５の輪部から１〜２〔ｍｍ〕の位置において、虹彩面に対して平行に角膜３６を切開して挿入孔３３を設け、実例として作製した房水排出装置１０の本体１１の前端部１１ａを前房３２内へ挿入した。挿入孔３３と房水排出装置１０の本体１１との隙間から、前房３２内に存在する房水が漏出しないように、前端部１１ａを挿入した後、挿入孔３３の周囲を光硬化性樹脂で密閉した。挿入孔３３と対角線の位置において、圧力印可用注射針（２３Ｇ×１”）４１を前房３２内に挿入し、前記圧力印可用注射針４１に対して直角になるように、圧力測定用注射針（２３Ｇ×１”）４２を前房３２内に挿入した。
【００７５】
図１１に示されるように、圧力印可用注射針４１は、チューブを介して、圧力印可装置４３に接続される。該圧力印可装置４３は、シリンジポンプ（ＭＦＳ−ＳＰ１、マイクロ流体システム工房株式会社）４５を用いて、水を直径１０〔ｍｍ〕の水柱管４４の中に注水することによって、水柱管４４内の水面を上昇させ、水柱の高さに対応した静水圧を発生させることができる。そして、圧力印可装置４３で発生させた静水圧は、チューブを介して圧力印可用注射針４１に到達し、眼球試料３５の眼圧は、圧力印可装置４３で発生させた静水圧と等しい圧力値になる。また、圧力測定用注射針４２は、チューブを介して、圧力測定装置（ＢＰ  Ｔｒａｎｓｄｕｃｅｒｓ  ＡＤＩｎｓｔｒｕｍｅｎｔｓ）４６に接続される。該圧力測定装置４６は、コンピュータ４７に接続され、専用ソフトウェア（Ｉｎｔｒａｐｃｕｌａｒ  ＰｏｗｅｒＬａｂ（Ｒ）  Ｄａｔａ  Ａｃｑｕｉｓｉｔｉｏｎ  Ｓｙｓｔｅｍｓ、  ＡＤＩｎｓｔｒｕｍｅｎｔｓ）で眼圧を測定することができる。
【００７６】
評価試験においては、シリンジポンプ４５によって、青色色素で着色した色水を送液し、水柱管４４の水面を徐々に上昇させ、圧力印可装置４３が発生する圧力を徐々に上昇させ、眼球試料３５の眼圧を徐々に上昇させた。図１２は、圧力測定装置４６によって測定される眼圧が正常眼圧範囲にあるときの、眼球試料３５及び房水排出装置１０を示している。眼球試料３５の眼圧が正常眼圧範囲にある状態では、房水排出装置１０の本体１１の後端開口部１５ｂから、色水がわずかに排出された。そして、シリンジポンプ４５による送液を更に継続し、眼球試料３５の眼圧を上昇させ、眼圧が２．００〔ｋＰａ〕（１５〔ｍｍＨｇ〕）に到達したとき、眼圧調整機構１４の面状開閉部１４ｃが開き、上流側流路１２ａと下流側流路１２ｂとの間で房水が流れる経路が拡張された結果、前記後端開口部１５ｂからの色水の排出量が急激に増大し、後端開口部１５ｂ付近に色水の水滴の生成が確認された。図１３は、眼圧が２．００〔ｋＰａ〕（１５〔ｍｍＨｇ〕）となったときの、眼球試料３５及び房水排出装置１０を示している。
【００７７】
このように、房水排出装置１０の実例の評価試験では、眼球試料３５の眼圧が正常値範囲にあるときは、房水は漏出流路１６を通って徐々に排出され、眼球試料３５の眼圧が所定の閾値である２．００〔ｋＰａ〕（１５〔ｍｍＨｇ〕）を超えて上昇したときは、眼圧調整機構１４の面状開閉部１４ｃが開き、眼圧の上昇が抑制されることが確認された。正常な眼圧の範囲が１．０７〜２．８０〔ｋＰａ〕（８〜２１〔ｍｍＨｇ〕）であることから、実例として作製された房水排出装置１０は、眼圧を正常範囲内に調整することができる機能を有していることが分かる。
【００７８】
次に、評価試験、特に、眼圧調整機能の評価試験に適した房水排出装置１０の実験例について説明する。
【００７９】
図１４は本実施の形態における房水排出装置の第１実験例の透視図、図１５は本実施の形態における房水排出装置の第２実験例の眼圧調整機構周辺の拡大図、図１６は本実施の形態における房水排出装置の第３実験例の眼圧調整機構周辺の拡大図である。
【００８０】
発明者は、フォトリソグラフィー技術、ソフトモールディング技術及び接合技術を用いて、評価試験、特に、眼圧調整機能の評価試験に適した房水排出装置１０の第１実験例、第２実験例及び第３実験例を作製した。なお、該第１実験例、第２実験例及び第３実験例は、図９に示される実例と同様の基本構造を備えているが、図９に示される実例とは異なり、上部シート２１の面状開閉部１４ｃに対応する面へのトリフルオロメタンの塗布は行われない。
【００８１】
また、前記第１実験例、第２実験例及び第３実験例は、それぞれ、異なる本数の漏出流路１６を有する。すなわち、図４に示されるように、第１実験例は１本の漏出流路１６を有し、図１５に示されるように、第２実験例は２本の漏出流路１６を有し、図１６に示されるように、第３実験例は３本の漏出流路１６を有している。
【００８２】
図１４に示されるような第１実験例を作製する方法について、詳細に説明する。第１実験例は、図３に示されるものと同様に、漏出流路１６が１本のみである基本的な構成のものである。
【００８３】
まず、上部シート２１の作製を行った。フォトリソグラフィー法によって、フォトレジストＫＭＰＲ  １０３５を用いて、２．５インチ×２．５インチサイズのガラス基板上に上流側流路１２ａ、下流側流路１２ｂ及び漏出流路１６の反転型となる流路反転型凸構造を成形し、ガラス基板及び該ガラス基板上に成形した流路反転型凸構造の表面に、離型処理（トリフルオロメタン塗布）を施した。
【００８４】
ＰＤＭＳの一種であるインプラント用シリコーンＭＥＤ−６０１５のＡ液とＢ液とをそれぞれ１０グラムずつ計量し、計量したＡ液とＢ液とを混合器で混合し、真空デシケータを用いて脱泡処理を行った。流路反転型凸構造が成形されたガラス基板を専用金型に取り付け、専用金型の注ぎ口より、脱泡されたＭＥＤ−６０１５混合液を注入し、７５〔℃〕環境下で９０分間加熱し、硬化させた。
【００８５】
インプラント用シリコーンＭＥＤ−６０１５が硬化した後、専用金型を分解し、流路反転型凸構造が成形されたガラス基板から硬化したインプラント用シリコーンＭＥＤ−６０１５のシートを剥がし、上流側流路１２ａの一端及び下流側流路１２ｂの一端に直径２〔ｍｍ〕の貫通孔をそれぞれ設け、上流側流路１２ａ、下流側流路１２ｂ及び漏出流路１６となる溝構造が加工された上部シート２１を得た。
【００８６】
次に、下部シート２２の作製を行った。上部シート２１を作製したときと同様に、インプラント用シリコーンＭＥＤ−６０１５のＡ液とＢ液とをそれぞれ１０グラムずつ計量し、計量したＡ液とＢ液とを混合器で混合し、真空デシケータを用いて脱泡処理を行った。膜変位空間としての凹入部２４となる凸構造を有する専用金型を組み立てて、専用金型の注ぎ口より、脱泡されたＭＥＤ−６０１５混合液を注入し、７５〔℃〕環境下で９０分間加熱し、硬化させた。
【００８７】
インプラント用シリコーンＭＥＤ−６０１５が硬化した後、専用金型を分解し、専用金型から硬化したインプラント用シリコーンＭＥＤ−６０１５のシートを剥がし、片側に凹入部２４を有する平らな下部シート２２を得た。
【００８８】
次に、上流側圧力印可ポート１７ａ及び下流側圧力印可ポート１７ｂの作製を行った。インプラント用シリコーンＭＥＤ−６０１５のＡ液とＢ液とをそれぞれ１０グラムずつ計量し、計量したＡ液とＢ液とを混合器で混合し、真空デシケータを用いて脱泡処理を行った。脱泡されたＭＥＤ−６０１５混合液を、プラスチックシャーレに注ぎ込み、７５〔℃〕環境下で９０分間加熱し、硬化させた。
【００８９】
インプラント用シリコーンＭＥＤ−６０１５が硬化した後、プラスチックシャーレから硬化した板状ＭＥＤ−６０１５を剥がし、幅１０〔ｍｍ〕、長さ１０〔ｍｍ〕、厚さ４〔ｍｍ〕の直方体ブロック２個をナイフで切り出し、各直方体ブロックの中央に直径２〔ｍｍ〕の貫通孔を設け、上流側圧力印可ポート１７ａ及び下流側圧力印可ポート１７ｂを得た。
【００９０】
次に、上部シート２１と下部シート２２との接合、並びに、上部シート２１と上流側圧力印可ポート１７ａ及び下流側圧力印可ポート１７ｂとの接合を行った。上部シート２１の、上流側流路１２ａ、下流側流路１２ｂ及び漏出流路１６となる溝構造が加工された面に対して、面状開閉部１４ｃに対応する領域のみを厚み０．１〔ｍｍ〕の市販のシリコーンシートで被覆し、ＲＩＥ装置ＲＩＥ−１０ＮＲを用いて、酸素プラズマ処理を施した。同様に、下部シート２２の凹入部２４の凹みがある面の反対側の面に対しても、面状開閉部１４ｃに対応する領域のみを厚み０．１〔ｍｍ〕の市販のシリコーンシートで被覆し、ＲＩＥ装置ＲＩＥ−１０ＮＲを用いて、酸素プラズマ処理を施した。上部シート２１の酸素プラズマ処理を施した面と、下部シート２２の酸素プラズマ処理を施した面とを貼り合わせ、７５〔℃〕環境下で加熱し、上部シート２１と下部シート２２とを接合した。
【００９１】
酸素プラズマ処理が施されたインプラント用シリコーンＭＥＤ−６０１５の表面は、互いに強固に接合し、永久に剥がれることがない。ただし、シリコーンシートで被覆され、酸素プラズマ処理が施されていない面状開閉部１４ｃに対応する領域は、接合してはいるが、外力によって剥がれる構造となっている。
【００９２】
上部シート２１の上面に対して、ＲＩＥ装置ＲＩＥ−１０ＮＲを用いて、酸素プラズマ処理を施した。同様に、上流側圧力印可ポート１７ａ及び下流側圧力印可ポート１７ｂの片面に対しても、ＲＩＥ装置ＲＩＥ−１０ＮＲを用いて、酸素プラズマ処理を施した。上部シート２１の上流側流路１２ａの一端に設けられた直径２〔ｍｍ〕の上流側貫通孔と、上流側圧力印可ポート１７ａに設けられた直径２〔ｍｍ〕の貫通孔とが連通するように、上流側圧力印可ポート１７ａを上部シート２１の上面に貼り合わせて、上流側圧力印可ポート１７ａを配設した。同様に、上部シート２１の下流側流路１２ｂの一端に設けられた直径２〔ｍｍ〕の下流側貫通孔と、下流側圧力印可ポート１７ｂに設けられた直径２〔ｍｍ〕の貫通孔とが連通するように、下流側圧力印可ポート１７ｂを上部シート２１の上面に貼り合わせて、下流側圧力印可ポート１７ｂを配設した。７５〔℃〕環境下で加熱し、上部シート２１と上流側圧力印可ポート１７ａ及び下流側圧力印可ポート１７ｂとを完全に接合した。
【００９３】
最後に、外形状の成形を行った。本体１１が幅１０〔ｍｍ〕、長さ６０〔ｍｍ〕、厚さ０．４〔ｍｍ〕となるように、接合された上部シート２１及び下部シート２２の外周の不要な部分をナイフで切り落とし、図１４に示されるような第１実験例を得た。
【００９４】
同様にして、第２実験例及び第３実験例を作製した。図１５に示されるように、第２実験例は２本の漏出流路１６を有している。また、図１６に示されるように、第３実験例は３本の漏出流路１６を有している。
【００９５】
次に、前記漏出流路１６が眼圧調整機能に与える影響を評価する評価試験について説明する。
【００９６】
図１７は本実施の形態における漏出流路が眼圧調整機能に与える影響の評価試験系を示す図である。
【００９７】
発明者は、漏出流路１６が眼圧調整機能に与える影響を評価するために、図１４〜１６に示されるような房水排出装置１０の第１〜第３実験例を用いて、眼圧調整機構１４の面状開閉部１４ｃが開く眼圧の閾値を測定した。図１７に示されるように、房水排出装置１０の第１〜第３実験例は圧力印可測定用治具３８に取り付けられ、上流側圧力印可ポート１７ａは、チューブを介して、図１１に示される評価試験系における圧力印可装置４３と同様の圧力印可装置４３に接続される。
【００９８】
また、上流側圧力印可ポート１７ａ及び下流側圧力印可ポート１７ｂには、上流側圧力測定装置４６ａ及び下流側圧力測定装置４６ｂがそれぞれ接続される。これにより、上流側圧力印可ポート１７ａ及び下流側圧力印可ポート１７ｂにおける圧力を測定することができる。なお、前記上流側圧力測定装置４６ａ及び下流側圧力測定装置４６ｂとしては、光ファイバ型圧力センサ（ＯＰＰ−Ｍ２５０  Ｏｐｓｅｎｓ  Ｉｎｃ．）が使用された。また、前記上流側圧力測定装置４６ａ及び下流側圧力測定装置４６ｂはコンピュータ４７に接続され、上流側圧力印可ポート１７ａ及び下流側圧力印可ポート１７ｂにおける圧力の値はコンピュータ４７によって記録される。上流側圧力測定装置４６ａで測定される圧力と、下流側圧力測定装置４６ｂで測定される圧力との差を、房水排出装置１０に負荷される圧力とした。また、下流側圧力印可ポート１７ｂの下流側には、コンピュータ４７に接続された流量測定装置４８が配置され、房水排出装置１０から排出される水の流量を測定することができる。前記流量測定装置４８としては、ＬＧ−４８０（Ｓｅｎｓｉｒｉｏｒ  Ｉｎｃ．）が使用された。流量測定装置４８で測定される流量が急激に増大したときに、眼圧調整機構１４の面状開閉部１４ｃが開いた、と判断した。
【００９９】
評価試験においては、まず、房水排出装置１０の第１実験例の面状開閉部１４ｃが開く圧力の値を測定した。シリンジポンプ４５によって水を送液し、水柱管４４の水面を徐々に上昇させ、圧力印可装置４３が発生する圧力を徐々に上昇させた。房水排出装置１０に負荷される圧力が４．４０±１．１２〔ｋＰａ〕（３３．０±８．４〔ｍｍＨｇ〕）に到達したとき、眼圧調整機構１４の面状開閉部１４ｃが開いた。
【０１００】
次に、房水排出装置１０の第２実験例の面状開閉部１４ｃが開く圧力の値を測定した。第１実験例の場合と同様にして圧力印可装置４３が発生する圧力を徐々に上昇させると、房水排出装置１０に負荷される圧力が４．２０±０．８９〔ｋＰａ〕（３１．５±６．７〔ｍｍＨｇ〕）に到達したとき、眼圧調整機構１４の面状開閉部１４ｃが開いた。
【０１０１】
最後に、房水排出装置１０の第３実験例の面状開閉部１４ｃが開く圧力の値を測定した。第１及び第２実験例の場合と同様にして圧力印可装置４３が発生する圧力を徐々に上昇させると、房水排出装置１０に負荷される圧力が３．７０±０．５６〔ｋＰａ〕（２７．８±４．２〔ｍｍＨｇ〕）に到達したとき、眼圧調整機構１４の面状開閉部１４ｃが開いた。
【０１０２】
このように、房水排出装置１０の第１〜第３実験例を用いた漏出流路１６が眼圧調整機能に与える影響を評価する評価試験では、漏出流路１６の本数が多いほど、眼圧調整機構１４の面状開閉部１４ｃが開く圧力の値が低くなることが確認された。すなわち、房水排出装置１０においては、漏出流路１６の本数を調整することによって、許容する最大眼圧値を調整可能なことが確認された。
【０１０３】
次に、評価試験、特に、眼圧調整機能の評価試験に適した房水排出装置１０の他の実験例について説明する。
【０１０４】
図１８は本実施の形態における房水排出装置の第４〜第７実験例の透視図、図１９は本実施の形態における房水排出装置の第４〜第７実験例の眼圧調整機構周辺の拡大図である。
【０１０５】
発明者は、フォトリソグラフィー技術、ソフトモールディング技術及び接合技術を用いて、評価試験、特に、眼圧調整機能の評価試験に適した房水排出装置１０の更なる変形例として、第４実験例、第５実験例、第６実験例及び第７実験例を作製した。なお、該第４実験例、第５実験例、第６実験例及び第７実験例は、図１４〜１６に示される第１実験例、第２実験例及び第３実験例と同様の基本構造を備えているが、第１実験例、第２実験例及び第３実験例とは異なり、眼圧調整機構１４は漏出流路１６を含んでいない。そのため、第４実験例、第５実験例、第６実験例及び第７実験例では、眼圧調整機構１４の面状開閉部１４ｃが閉じていると、上流側流路１２ａから下流側流路１２ｂに房水が流れないので房水は排出されず、眼圧が所定の閾値を超えて上昇したときに限り、眼圧調整機構１４の面状開閉部１４ｃが開いて房水が排出されて眼圧が降下する、という圧力調整機構になっている。
【０１０６】
また、第４実験例、第５実験例、第６実験例及び第７実験例では、図９に示される実例と同様に、面状開閉部１４ｃにトリフルオロメタンが塗布されているが、第４実験例、第５実験例、第６実験例及び第７実験例のそれぞれにおいて、面状開閉部１４ｃに塗布されるトリフルオロメタンの厚さがそれぞれ異なっている。
【０１０７】
まず、上部シート２１の作製を行った。フォトリソグラフィー法によって、フォトレジストＫＭＰＲ  １０３５を用いて、２．５インチ×２．５インチサイズのガラス基板上に上流側流路１２ａ及び下流側流路１２ｂの反転型となる流路反転型凸構造を成形し、ガラス基板及び該ガラス基板上に成形した流路反転型凸構造の表面に、離型処理（トリフルオロメタン塗布）を施した。
【０１０８】
ＰＤＭＳの一種であるインプラント用シリコーンＭＥＤ−６０１５のＡ液とＢ液とをそれぞれ１０グラムずつ計量し、計量したＡ液とＢ液とを混合器で混合し、真空デシケータを用いて脱泡処理を行った。流路反転型凸構造が成形されたガラス基板を専用金型に取り付け、専用金型の注ぎ口より、脱泡されたＭＥＤ−６０１５混合液を注入し、７５〔℃〕環境下で９０分間加熱し、硬化させた。
【０１０９】
インプラント用シリコーンＭＥＤ−６０１５が硬化した後、専用金型を分解し、流路反転型凸構造が成形されたガラス基板から硬化したインプラント用シリコーンＭＥＤ−６０１５のシートを剥がし、上流側流路１２ａの一端及び下流側流路１２ｂの一端に直径２〔ｍｍ〕の貫通孔をそれぞれ設け、上流側流路１２ａ及び下流側流路１２ｂとなる溝構造が加工された上部シート２１を得た。
【０１１０】
次に、下部シート２２の作製を行った。上部シート２１を作製したときと同様に、インプラント用シリコーンＭＥＤ−６０１５のＡ液とＢ液とをそれぞれ１０グラムずつ計量し、計量したＡ液とＢ液とを混合器で混合し、真空デシケータを用いて脱泡処理を行った。膜変位空間としての凹入部２４となる凸構造を有する専用金型を組み立てて、専用金型の注ぎ口より、脱泡されたＭＥＤ−６０１５混合液を注入し、７５〔℃〕環境下で９０分間加熱し、硬化させた。
【０１１１】
インプラント用シリコーンＭＥＤ−６０１５が硬化した後、専用金型を分解し、専用金型から硬化したインプラント用シリコーンＭＥＤ−６０１５のシートを剥がし、片側に凹入部２４を有する平らな下部シート２２を得た。
【０１１２】
次に、上流側圧力印可ポート１７ａ及び下流側圧力印可ポート１７ｂの作製を行った。インプラント用シリコーンＭＥＤ−６０１５のＡ液とＢ液とをそれぞれ１０グラムずつ計量し、計量したＡ液とＢ液とを混合器で混合し、真空デシケータを用いて脱泡処理を行った。脱泡されたＭＥＤ−６０１５混合液を、プラスチックシャーレに注ぎ込み、７５〔℃〕環境下で９０分間加熱し、硬化させた。
【０１１３】
インプラント用シリコーンＭＥＤ−６０１５が硬化した後、プラスチックシャーレから硬化した板状ＭＥＤ−６０１５を剥がし、幅１０〔ｍｍ〕、長さ１０〔ｍｍ〕、厚さ４〔ｍｍ〕の直方体ブロック２個をナイフで切り出し、各直方体ブロックの中央に直径２〔ｍｍ〕の貫通孔を設け、上流側圧力印可ポート１７ａ及び下流側圧力印可ポート１７ｂを得た。
【０１１４】
次に、上部シート２１と下部シート２２との接合、並びに、上部シート２１と上流側圧力印可ポート１７ａ及び下流側圧力印可ポート１７ｂとの接合を行った。
【０１１５】
まず、第４実験例の場合について説明する。この場合、上部シート２１の、上流側流路１２ａ及び下流側流路１２ｂとなる溝構造が加工された面に対して、面状開閉部１４ｃに対応する領域のみを厚さ０．１〔ｍｍ〕の市販のシリコーンシートで被覆し、ＲＩＥ装置ＲＩＥ−１０ＮＲを用いて、酸素プラズマ処理を施した。同様に、下部シート２２の凹入部２４の凹みがある面の反対側の面に対しても、面状開閉部１４ｃに対応する領域のみを厚さ０．１〔ｍｍ〕の市販のシリコーンシートで被覆し、ＲＩＥ装置ＲＩＥ−１０ＮＲを用いて、酸素プラズマ処理を施した。上部シート２１の酸素プラズマ処理を施した面と、下部シート２２の酸素プラズマ処理を施した面とを貼り合わせ、７５〔℃〕環境下で加熱し、上部シート２１と下部シート２２とを接合した。これにより、面状開閉部１４ｃにトリフルオロメタンが塗布されていない、すなわち、面状開閉部１４ｃに塗布されたトリフルオロメタンの厚さが０である第４実験例を得ることができる。
【０１１６】
次に、第５実験例、第６実験例及び第７実験例の場合について説明する。この場合、上部シート２１の、上流側流路１２ａ及び下流側流路１２ｂとなる溝構造が加工された面に対して、面状開閉部１４ｃに対応する領域のみ曝露するように、厚さ０．１〔ｍｍ〕の市販のシリコーンシートで被覆し、ＲＩＥ装置ＲＩＥ−１０ＮＲを用いて、トリフルオロメタンプラズマ処理を実施し、上部シート２１の面状開閉部１４ｃに対応する領域のみにトリフルオロメタンを塗布した。なお、トリフルオロメタンプラズマ処理時間を、第５実験例の場合は２０秒間、第６実験例の場合は３０秒間、第７実験例の場合は４０秒間とした。その結果、面状開閉部１４ｃに塗布されたトリフルオロメタンの厚さは、第７実験例の場合が最も厚く、第５実験例の場合が最も薄く、第６実験例の場合は中間となった。トリフルオロメタンの塗布後に、被覆に用いたシリコーンシートを上部シート２１から取り除いた。上部シート２１の、上流側流路１２ａ及び下流側流路１２ｂとなる溝構造が加工された面に対して、ＲＩＥ装置ＲＩＥ−１０ＮＲを用いて、酸素プラズマ処理を施した。同様に、下部シート２２の凹入部２４の凹みがある面の反対側の面に対しても、ＲＩＥ装置ＲＩＥ−１０ＮＲを用いて、酸素プラズマ処理を施した。上部シート２１の酸素プラズマ処理を施した面と、下部シート２２の酸素プラズマ処理を施した面とを貼り合わせ、７５〔℃〕環境下で加熱し、上部シート２１と下部シート２２とを接合した。これにより、面状開閉部１４ｃに塗布されたトリフルオロメタンの厚さがそれぞれ異なる第５実験例、第６実験例及び第７実験例を得ることができる。
【０１１７】
酸素プラズマ処理が施されたインプラント用シリコーンＭＥＤ−６０１５の表面は、互いに強固に接合し、永久に剥がれることがない。ただし、シリコーンシートで被覆されていて酸素プラズマ処理が施されていない、又は、トリフルオロメタンプラズマ処理が施された、面状開閉部１４ｃに対応する領域は、接合してはいるが、外力によって剥がれる構造となっている。
【０１１８】
上部シート２１の上面に対して、ＲＩＥ装置ＲＩＥ−１０ＮＲを用いて、酸素プラズマ処理を施した。同様に、上流側圧力印可ポート１７ａ及び下流側圧力印可ポート１７ｂの片面に対しても、ＲＩＥ装置ＲＩＥ−１０ＮＲを用いて、酸素プラズマ処理を施した。上部シート２１の上流側流路１２ａの一端に設けられた直径２〔ｍｍ〕の上流側貫通孔と、上流側圧力印可ポート１７ａに設けられた直径２〔ｍｍ〕の貫通孔とが連通するように、上流側圧力印可ポート１７ａを上部シート２１の上面に貼り合わせて、上流側圧力印可ポート１７ａを配設した。同様に、上部シート２１の下流側流路１２ｂの一端に設けられた直径２〔ｍｍ〕の下流側貫通孔と、下流側圧力印可ポート１７ｂに設けられた直径２〔ｍｍ〕の貫通孔とが連通するように、下流側圧力印可ポート１７ｂを上部シート２１の上面に貼り合わせて、下流側圧力印可ポート１７ｂを配設した。７５〔℃〕環境下で加熱し、上部シート２１と上流側圧力印可ポート１７ａ及び下流側圧力印可ポート１７ｂとを完全に接合した。
【０１１９】
最後に、外形状の成形を行った。本体１１が幅１０〔ｍｍ〕、長さ６０〔ｍｍ〕、厚さ０．４〔ｍｍ〕となるように、接合された上部シート２１及び下部シート２２の外周の不要な部分をナイフで切り落とし、図１８及び１９に示されるような第４実験例、第５実験例、第６実験例及び第７実験例を得た。
【０１２０】
次に、眼圧調整機構１４の面状開閉部１４ｃの表面処理が眼圧調整機能に与える影響を評価する評価試験について説明する。
【０１２１】
発明者は、眼圧調整機構１４の面状開閉部１４ｃにトリフルオロメタンを塗布する表面処理が眼圧調整機能に与える影響を評価するために、図１８及び１９に示されるような房水排出装置１０の第４〜第７実験例を用いて、眼圧調整機構１４の面状開閉部１４ｃが開く眼圧の閾値を測定した。なお、評価試験系の構成は、図１７に示されるものと同様である。
【０１２２】
房水排出装置１０の第４〜第７実験例は圧力印可測定用治具３８に取り付けられ、上流側圧力印可ポート１７ａは、チューブを介して、圧力印可装置４３に接続される。
【０１２３】
上流側圧力印可ポート１７ａ及び下流側圧力印可ポート１７ｂには、上流側圧力測定装置４６ａ及び下流側圧力測定装置４６ｂがそれぞれ接続される。これにより、上流側圧力印可ポート１７ａ及び下流側圧力印可ポート１７ｂにおける圧力を測定することができる。なお、前記上流側圧力測定装置４６ａ及び下流側圧力測定装置４６ｂとしては、光ファイバ型圧力センサが使用された。また、前記上流側圧力測定装置４６ａ及び下流側圧力測定装置４６ｂはコンピュータ４７に接続され、上流側圧力印可ポート１７ａ及び下流側圧力印可ポート１７ｂにおける圧力の値はコンピュータ４７によって記録される。上流側圧力測定装置４６ａで測定される圧力と、下流側圧力測定装置４６ｂで測定される圧力との差を、房水排出装置１０に負荷される圧力とした。また、下流側圧力印可ポート１７ｂの下流側には、コンピュータ４７に接続された流量測定装置４８が配置され、房水排出装置１０から排出される水の流量を測定することができる。前記流量測定装置４８としては、ＬＧ−４８０が使用された。流量測定装置４８で測定される流量が急激に増大したときに、眼圧調整機構１４の面状開閉部１４ｃが開いた、と判断した。
【０１２４】
評価試験においては、まず、房水排出装置１０の第４実験例の面状開閉部１４ｃが開く圧力の値を測定した。シリンジポンプ４５によって水を送液し、水柱管４４の水面を徐々に上昇させ、圧力印可装置４３が発生する圧力を徐々に上昇させた。房水排出装置１０に負荷される圧力が５．５５±０．３４〔ｋＰａ〕に到達したとき、眼圧調整機構１４の面状開閉部１４ｃが開いた。
【０１２５】
次に、房水排出装置１０の第５実験例の面状開閉部１４ｃが開く圧力の値を測定した。第４実験例の場合と同様にして圧力印可装置４３が発生する圧力を徐々に上昇させると、房水排出装置１０に負荷される圧力が３．１９±０．５５〔ｋＰａ〕（２３．９±４．１〔ｍｍＨｇ〕）に到達したとき、眼圧調整機構１４の面状開閉部１４ｃが開いた。
【０１２６】
次に、房水排出装置１０の第６実験例の面状開閉部１４ｃが開く圧力の値を測定した。第４及び第５実験例の場合と同様にして圧力印可装置４３が発生する圧力を徐々に上昇させると、房水排出装置１０に負荷される圧力が１．３８±１．１８〔ｋＰａ〕（１０．４±８．９〔ｍｍＨｇ〕）に到達したとき、眼圧調整機構１４の面状開閉部１４ｃが開いた。
【０１２７】
最後に、房水排出装置１０の第７実験例の面状開閉部１４ｃが開く圧力の値を測定した。第４〜第６実験例の場合と同様にして圧力印可装置４３が発生する圧力を徐々に上昇させると、房水排出装置１０に負荷される圧力が１．３５±０．５５〔ｋＰａ〕（１０．１±４．１〔ｍｍＨｇ〕）に到達したとき、眼圧調整機構１４の面状開閉部１４ｃが開いた。
【０１２８】
このように、房水排出装置１０の第４〜第７実験例を用いた眼圧調整機構１４の面状開閉部１４ｃの表面処理が眼圧調整機能に与える影響を評価する評価試験では、面状開閉部１４ｃにトリフルオロメタンを塗布することによって、面状開閉部１４ｃにおける上流側流路１２ａと下流側流路１２ｂとの接合力が低下し、面状開閉部１４ｃが開く圧力の値が低下することが確認された。また、面状開閉部１４ｃに塗布されるトリフルオロメタンの厚さを調整することによって、面状開閉部１４ｃにおける上流側流路１２ａと下流側流路１２ｂとの接合力を調整し、面状開閉部１４ｃが開く圧力の値を調整することができることが確認された。すなわち、房水排出装置１０において、面状開閉部１４ｃの表面処理を調整することによって、許容する最大眼圧値を調整可能であることが確認された。
【０１２９】
このように、本実施の形態においては、房水排出装置１０のすべての構成部材がシリコーン等の柔軟な素材で作製され、薄いシート形状になっているため、患者への埋め込み手術後、結膜上への本体１１の露出を抑えることができ、結膜を破って本体１１が飛び出すリスクを抑制することができ、感染症を防ぐことができ、術後の審美性を損ねることもなくなるため、患者への負担を軽減することができる。
【０１３０】
また、房水排出装置１０のすべての構成部材がシリコーン等の柔軟な素材で作製され、薄いシート形状になっているため、埋め込み手術のときに球後領域まで本体１１の後端開口部１５ｂを挿入することが可能になり、球後の生体組織を房水の排出及び吸収のための領域として利用することができる。
【０１３１】
さらに、房水排出装置１０においては、複数の流路１２で房水を排出することが可能になるため、房水排出装置１０周囲の線維瘢痕化や細胞の付着や凝固によって流路１２が詰まって、房水排出機能を喪失するリスクを低減することができる。
【０１３２】
さらに、房水排出装置１０は、漏出流路１６を内蔵するため、正常眼圧範囲においても恒常的に房水を排出することができ、埋め込み手術後、眼圧の上下変動を抑えることができ、より健常状態に近い圧力調整が可能になる。
【０１３３】
さらに、房水排出装置１０は、膜バルブ方式の眼圧調整機構として、眼圧調整機構１４を内蔵するため、眼圧が所定の閾値を超えて上昇したとき、眼圧を降下させることができる。
【０１３４】
さらに、房水排出装置１０においては、漏出流路１６の幅、高さ、長さ及び数を調整することで、正常眼圧範囲における房水の排出量を設計することができる。また、漏出流路１６の幅、高さ、長さ及び数を調整したり、面状開閉部１４ｃをトリフルオロメタン等のフッ素系化合物やＭＰＣポリマー等の高分子で被膜したりすることで、面状開閉部１４ｃの接合力を調整し、面状開閉部１４ｃが開く眼圧閾値を調整することができる。したがって、正常眼圧範囲における房水の流出量及び調整したい眼圧閾値を、患者の眼圧状態に合わせて設計することができ、より患者や症例に則した房水排出装置１０を提供することができる。
【０１３５】
本実施の形態における開示は、緑内障治療に適用することができる。緑内障治療において、薬剤治療やレーザ治療を実施しても眼圧が下降しない難治例では、房水排水装置を結膜下、強膜上に埋め込んで人工的に房水を排出し、圧力を下げるインプラント手術が行われている。日本でも２種類の房水排水装置が認可され、２０１２年からは保険適用にもなったことからも、人工的に房水を排出する装置の利用は、今後更に増えると予想されている。
【０１３６】
しかしながら、日本で認可されている従来の房水排出装置はいずれも、装置本体が大きく、厚く、硬いため、結膜上へデバイスが露出し、審美性を損ねたり、感染症にかかったりするリスクが高く、また、排水経路が１つしかないため、房水排出機能そのものを喪失する可能性がある、といった課題を抱える。さらに、眼圧調整機能がないため、眼圧を下げるだけで眼圧の調整機能が不十分である。本開示は、従来の房水排出装置が抱える前述の問題を解決することができるため、従来の装置に置き換わる新しい房水排出装置となりうる。
【０１３７】
なお、本明細書の開示は、好適で例示的な実施の形態に関する特徴を述べたものである。ここに添付された特許請求の範囲内及びその趣旨内における種々の他の実施の形態、修正及び変形は、当業者であれば、本明細書の開示を総覧することにより、当然に考え付くことである。
【産業上の利用可能性】
【０１３８】
本開示は、房水排出装置に適用することができる。
【符号の説明】
【０１３９】
１０    房水排出装置
１１    本体
１１ａ    前端部
１１ｂ    後端部
１２ａ    上流側流路
１２ｂ    下流側流路
１４    眼圧調整機構
１４ａ    上側弁部材
１４ｂ    下側弁部材
１４ｃ    面状開閉部
１６    漏出流路
２１    上部シート
２２    下部シート
３１    眼球
３２    前房
【図１】
2018149049.tif 000003
【図２】
2018149049.tif 000004
【図３】
2018149049.tif 000005
【図４】
2018149049.tif 000006
【図５】
2018149049.tif 000007
【図６】
2018149049.tif 000008
【図７】
2018149049.tif 000009
【図８】
2018149049.tif 000010
【図９】
2018149049.tif 000011
【図１０】
2018149049.tif 000012
【図１１】
2018149049.tif 000013
【図１２】
2018149049.tif 000014
【図１３】
2018149049.tif 000015
【図１４】
2018149049.tif 000016
【図１５】
2018149049.tif 000017
【図１６】
2018149049.tif 000018
【図１７】
2018149049.tif 000019
【図１８】
2018149049.tif 000020
【図１９】
2018149049.tif 000021